(57)【要約】【課題】寄付者と被寄付者の工数を削減可能にする技術を提供する。【解決手段】検索キーとして、被寄付者の名称と、被寄付者の活動の内容と、被寄付者の形態と、被寄付者の所轄庁と、被寄付者の活動の種類との少なくともいずれか一つ以上の入力を受け付ける被寄付者検索画面を寄付者端末１００へ提供する被寄付者情報提供部２１０を有し、被寄付者情報提供部２１０は、所定回数以上および／または所定期間内に活動報告を作成した被寄付者について、検索キーと対応する被寄付者情報を取得し、取得した被寄付者情報を一覧で示す検索結果一覧を寄付者端末１００へ提供し、被寄付者情報は、被寄付者の名称と、被寄付者の活動の風景の画像と、被寄付者の活動の内容との少なくともいずれか一つ以上を含む。【選択図】図１
2018032124.tif 000002
【特許請求の範囲】
【請求項１】
検索キーとして、被寄付者の名称と、被寄付者の活動の内容と、被寄付者の形態と、被寄付者の所轄庁と、被寄付者の活動の種類との少なくともいずれか一つ以上の入力を受け付ける被寄付者検索画面を寄付者端末へ提供する被寄付者情報提供部を有し、
前記被寄付者情報提供部は、所定回数以上および／または所定期間内に活動報告を作成した前記被寄付者について、前記検索キーと対応する被寄付者情報を取得し、取得した前記被寄付者情報を一覧で示す検索結果一覧を前記寄付者端末へ提供し、
前記被寄付者情報は、前記被寄付者の名称と、前記被寄付者の活動の風景の画像と、前記被寄付者の活動の内容との少なくともいずれか一つ以上を含む、
寄付支援システム。
【請求項２】
請求項１に記載の寄付支援システムにおいて、
寄付者端末により被寄付者へ寄付された金額を示す寄付金額と、前記被寄付者が税制上の優遇措置が適用されるのに必要な認定を受けたか否かを示す情報とを含む寄付履歴情報を取得する申告書作成処理部をさらに有し、
前記申告書作成処理部は、前記認定を受けた前記被寄付者に寄付された前記寄付金額に基づき税控除金額を算出し、算出した前記税控除金額を含む税控除申告書を前記寄付者端末へ提供する、
寄付支援システム。
【請求項３】
請求項１に記載の寄付支援システムにおいて、
前記被寄付者検索画面は、前記被寄付者情報の詳細を表示するための入力を受け付ける詳細表示ボタンを含み、
前記被寄付者情報提供部は、前記詳細表示ボタンが押下された場合に前記被寄付者の詳細な情報を含む被寄付者詳細画面を前記寄付者端末へ提供し、
前記被寄付者詳細画面は、前記被寄付者の活動の風景の画像と、前記被寄付者の設立日と、前記被寄付者の経常収益合計と、当期経常増減額と、当期正味財産増減額との少なくともいずれか一つ以上を含む、
寄付支援システム。
【請求項４】
請求項１に記載の寄付支援システムにおいて、
検索キーとして、寄付者名の入力を受け付ける寄付者一覧画面を前記寄付者端末へ提供する寄付処理部をさらに有し、
前記寄付処理部は、前記寄付者検索画面を介して入力を受け付けた前記検索キーと対応する寄付者情報を取得し、取得した前記寄付者情報を一覧で前記寄付者一覧画面に表示させ、
前記寄付者情報は、前記寄付者の前記寄付者名と、郵便番号と、住所と、担当者名と、メールアドレスと、電話番号との少なくともいずれか一つ以上を含む、
寄付支援システム。
【請求項５】
請求項２に記載の寄付支援システムにおいて、
前記被寄付者情報と、前記寄付履歴情報とに基づき、事業報告書等を作成する事業報告書等作成部をさらに有する、寄付支援システム。
【請求項６】
被寄付者情報提供部が、検索キーとして、被寄付者の名称と、被寄付者の活動の内容と、被寄付者の形態と、被寄付者の所轄庁と、被寄付者の活動の種類との少なくともいずれか一つ以上の入力を受け付ける被寄付者検索画面を寄付者端末へ提供する被寄付者検索画面提供ステップと、
前記被寄付者情報提供部が、所定回数以上および／または所定期間内に活動報告を作成した前記被寄付者について、前記検索キーと対応する被寄付者情報を取得し、取得した前記被寄付者情報を一覧で示す検索結果一覧を前記寄付者端末へ提供する、検索結果一覧提供ステップと、
を有し、
前記被寄付者情報は、前記被寄付者の名称と、前記被寄付者の活動の風景の画像と、前記被寄付者の活動の内容との少なくともいずれか一つ以上を含む、
寄付支援方法。
【請求項７】
被寄付者情報提供部を有する寄付支援システムのコンピュータに実行させる寄付支援プログラムであって、
被寄付者情報提供部が、検索キーとして、被寄付者の名称と、被寄付者の活動の内容と、被寄付者の形態と、被寄付者の所轄庁と、被寄付者の活動の種類との少なくともいずれか一つ以上の入力を受け付ける被寄付者検索画面を寄付者端末へ提供する被寄付者検索画面提供ステップと、
前記被寄付者情報提供部が、所定回数以上および／または所定期間内に活動報告を作成した前記被寄付者について、前記検索キーと対応する被寄付者情報を取得し、取得した前記被寄付者情報を一覧で示す検索結果一覧を前記寄付者端末へ提供する、検索結果一覧提供ステップと、
を前記コンピュータに実行させ、
前記被寄付者情報は、前記被寄付者の名称と、前記被寄付者の活動の風景の画像と、前記被寄付者の活動の内容との少なくともいずれか一つ以上を含む、
寄付支援プログラム。
【発明の詳細な説明】
【技術分野】
【０００１】
本発明は、寄付支援システムおよび寄付支援方法ならびに寄付支援プログラムに関する。
【背景技術】
【０００２】
電子的に寄付を可能にする寄付支援システムが知られている。例えば特開２０１６−５３９０１号公報（特許文献１）には、「利用者により、端末を介して、タイニービットサーバーにおける少額オンライン寄付支援システムの認証ページがアクセスされ、その認証ページを介して認証・登録処理が行われ、その認証後に、利用者によるオンライン寄付処理が行われ、所定の設定期間が終了したか否かが判定され、所定の設定期間が終了した場合、利用者により、寄付を実際に行うか否かの決済処理が行われる」技術が記載されている。
【先行技術文献】
【特許文献】
【０００３】
【特許文献１】特開２０１６−５３９０１号公報
【発明の概要】
【発明が解決しようとする課題】
【０００４】
特許文献１に記載されている技術では、安心して多種多様の寄付ができる。しかしながら、特許文献１に記載されている技術では、寄付を受けたい被寄付者についての情報を、被寄付者を探している寄付者に提供することについては考慮されていない。そのため、被寄付者を探す手間が寄付者に発生していた。また、被寄付者にとっては、自らの存在を寄付者に知ってもらうための広報活動（訪問など）を行う手間が発生していた。
本発明の目的は、寄付者および／または被寄付者の工数を削減可能にする技術を提供することである。
【課題を解決するための手段】
【０００５】
本願において開示される発明のうち、代表的なものの概要を簡単に説明すれば、次の通りである。
【０００６】
本発明の一実施の形態の寄付支援システムは、検索キーとして、被寄付者の名称と、被寄付者の活動の内容と、被寄付者の形態と、被寄付者の所轄庁と、被寄付者の活動の種類との少なくともいずれか一つ以上の入力を受け付ける被寄付者検索画面を寄付者端末へ提供する被寄付者情報提供部を有する。また、前記被寄付者情報提供部は、所定回数以上および／または所定期間内に活動報告を作成した前記被寄付者について、前記検索キーと対応する被寄付者情報を取得し、取得した前記被寄付者情報を一覧で示す検索結果一覧を前記寄付者端末へ提供する。また、前記被寄付者情報は、前記被寄付者の名称と、前記被寄付者の活動の風景の画像と、前記被寄付者の活動の内容との少なくともいずれか一つ以上を含む。
【０００７】
また、本発明の一実施の形態の寄付支援方法は、被寄付者情報提供部が、検索キーとして、被寄付者の名称と、被寄付者の活動の内容と、被寄付者の形態と、被寄付者の所轄庁と、被寄付者の活動の種類との少なくともいずれか一つ以上の入力を受け付ける被寄付者検索画面を寄付者端末へ提供する被寄付者検索画面提供ステップを有する。また、前記被寄付者情報提供部が、所定回数以上および／または所定期間内に活動報告を作成した前記被寄付者について、前記検索キーと対応する被寄付者情報を取得し、取得した前記被寄付者情報を一覧で示す検索結果一覧を前記寄付者端末へ提供する、検索結果一覧提供ステップとを有する。また、前記被寄付者情報は、前記被寄付者の名称と、前記被寄付者の活動の風景の画像と、前記被寄付者の活動の内容との少なくともいずれか一つ以上を含む。
【０００８】
また、本発明の位置実施の形態の寄付支援プログラムでは、被寄付者情報提供部を有する寄付支援システムのコンピュータに実行させる寄付支援プログラムであって、被寄付者情報提供部が、検索キーとして、被寄付者の名称と、被寄付者の活動の内容と、被寄付者の形態と、被寄付者の所轄庁と、被寄付者の活動の種類との少なくともいずれか一つ以上の入力を受け付ける被寄付者検索画面を寄付者端末へ提供する被寄付者検索画面提供ステップを前記コンピュータに実行させる。また、前記被寄付者情報提供部が、所定回数以上および／または所定期間内に活動報告を作成した前記被寄付者について、前記検索キーと対応する被寄付者情報を取得し、取得した前記被寄付者情報を一覧で示す検索結果一覧を前記寄付者端末へ提供する、検索結果一覧提供ステップを前記コンピュータに実行させる。また、前記被寄付者情報は、前記被寄付者の名称と、前記被寄付者の活動の風景の画像と、前記被寄付者の活動の内容との少なくともいずれか一つ以上を含む。
【発明の効果】
【０００９】
本願において開示される発明のうち、代表的なものによって得られる効果を簡単に説明すれば以下のとおりである。
本発明の代表的な実施の形態によれば、寄付者および／または被寄付者の工数を削減できる。
【図面の簡単な説明】
【００１０】
【図１】本発明の一実施の形態における寄付システムの全体構成例の概要を示す図である。
【図２】本発明の一実施の形態における被寄付者情報記憶部に記憶されている被寄付者情報の構成例の概要を示す図である。
【図３】本発明の一実施の形態における寄付者情報記憶部に記憶されている寄付者情報の構成例の概要を示す。
【図４】本発明の一実施の形態における寄付履歴情報記憶部に記憶されている寄付履歴情報の構成例の概要を示す。
【図５】本発明の一実施の形態における活動報告記憶部に記憶されている活動報告の構成例の概要を示す。
【図６】本発明の一実施の形態における一見寄付者情報記憶部に記憶されている一見寄付者情報の構成例の概要を示す。
【図７】本発明の一実施の形態における寄付者ホーム画面の構成例の概要を示す図である。
【図８】本発明の一実施の形態における被寄付者検索画面の構成例の概要を示す図である。
【図９】本発明の一実施の形態における被寄付者詳細画面の構成例の概要を示す図である。
【図１０】本発明の一実施の形態における被寄付者一覧画面の構成例の画面を示す図である。
【図１１】本発明の一実施の形態における寄付履歴画面の構成例の概要を示す図である。
【図１２】本発明の一実施の形態における申告書作成画面の構成例の概要を示す図である。
【図１３】本発明の一実施の形態における被寄付者ホーム画面の構成例の概要を示す図である。
【図１４】本発明の一実施の形態における活動報告作成画面の構成例の概要を示す図である。
【図１５】本発明の一実施の形態における寄付者一覧表示画面の構成例の概要を示す図である。
【図１６】本発明の一実施の形態における一見さん登録画面の構成例の概要を示す図である。
【図１７】本発明の一実施の形態における寄付金受領処理画面の構成例の概要を示す図である。
【図１８】本発明の一実施の形態における被寄付企業登録処理の全体処理の概要を示す図である。
【図１９】本発明の一実施の形態における寄付処理の全体処理の概要を示す図である。
【図２０】本発明の一実施の形態における申告書作成処理の全体処理の概要を示す図である。
【発明を実施するための形態】
【００１１】
以下、本発明の実施の形態を図面に基づいて詳細に説明する。なお、実施の形態を説明するための全図において、同一部には原則として同一の符号を付し、その繰り返しの説明は省略する。
＜システム構成＞
図１は本発明の一実施の形態における寄付システム１０の構成例の概要を示す図である。
図１に示されるように寄付システム１０は、複数の寄付者端末１００と、寄付支援システム２００と、複数の被寄付者端末３００とを有する。
【００１２】
寄付支援システム２００は、被寄付者情報提供部２１０と、寄付処理部２２０と、申告書作成処理部２３０と、活動報告作成部２４０と、事業報告書等作成部２６０とを有する。
【００１３】
また、寄付支援システム２００は、被寄付者情報記憶部（後述、図２）２５１と、寄付者情報記憶部（後述、図３）２５２と、寄付履歴情報記憶部（後述、図４）２５３と、活動報告記憶部（後述、図５）２５４と、一見寄付者情報記憶部（後述、図６）２５５と、を有する。
寄付者端末１００は、寄付者により使用される端末である。ここで、寄付者とは、個人寄付者と、法人寄付者の両方を含む。
【００１４】
寄付者端末１００のディスプレイは、寄付支援システム２００から提供される寄付者ホーム画面（後述、図７）を表示する。また、寄付者端末１００のディスプレイは、寄付支援システム２００から提供され、被寄付者を検索するための被寄付者検索画面を表示（後述、図８）する。また、寄付者端末１００のディスプレイは、寄付支援システム２００から提供され、被寄付者の詳細な情報を含む被寄付者詳細画面（後述、図９）を表示する。また、寄付者端末１００のディスプレイは、寄付支援システム２００から提供され、これから寄付される被寄付者を一覧で表示する被寄付者一覧画面（後述、図１０）を表示する。また、寄付者端末１００のディスプレイは、寄付支援システム２００から提供され、寄付の履歴を含む寄付履歴画面（後述、図１１）を表示する。また、寄付者端末１００のディスプレイは、寄付支援システム２００から提供され、税控除申告書を作成するための申告書作成画面（後述、図１２）を表示する。
【００１５】
被寄付者端末３００のディスプレイは、寄付支援システム２００から提供される被寄付者ホーム画面（後述、図１３）を表示する。また、被寄付者端末３００のディスプレイは、寄付支援システム２００から提供され、活動報告を作成するための活動報告作成画面（後述、図１４）を表示する。また、被寄付者端末３００のディスプレイは、寄付支援システム２００から提供され、寄付者を一覧で表示するための寄付者一覧表示画面（後述、図１５）を表示する。また、被寄付者端末３００のディスプレイは、寄付支援システム２００から提供され、一見さん（少数回（１回〜３０回）からだけ寄付する寄付者）を登録するための一見さん登録画面（後述、図１６）を表示する。また、被寄付者端末３００のディスプレイは、寄付支援システム２００から提供され、寄付金を受領するための寄付金受領処理画面（後述、図１７）を表示する。
【００１６】
被寄付者情報提供部２１０は、検索キーとして、被寄付者の名称と、被寄付者の活動の内容と、被寄付者の形態と、被寄付者の所轄庁と、被寄付者の活動の種類との少なくともいずれか一つ以上の入力を受け付ける、被寄付者検索画面を寄付者端末１００へ提供する。
【００１７】
また、被寄付者情報提供部２１０は、被寄付者検索画面を介して入力を受け付けた検索キーと対応する寄付者情報を寄付者情報記憶部２５２から取得する。そして、被寄付者情報提供部２１０は、取得した寄付者情報を一覧で、被寄付者検索画面を介して寄付者端末１００へ提供する。この寄付者情報は、被寄付者の名称と、被寄付者の活動の風景の画像と、前記被寄付者の活動の内容との少なくともいずれか一つ以上を含む。
【００１８】
被寄付者情報提供部２１０は、検索キー（被寄付者検索画面を介して入力を受け付ける被寄付者を検索するための検索キー）で、被寄付者情報記憶部２５１を検索する。そして、  被寄付者情報提供部２１０は、所定回数以上および／または所定期間内に活動報告を作成した被寄付者について、検索キーと対応する被寄付者情報を被寄付者情報記憶部２５１からすべて取得し、取得した被寄付者情報を一覧で示す検索結果一覧を寄付者端末１００へ提供する。
また、被寄付者情報提供部２１０は、寄付者端末１００からの要求に応じて被寄付者詳細画面を寄付者端末１００に提供する。
寄付処理部２２０は、寄付者名と、送金方法と、各寄付金額と、各寄付金額が寄付される被寄付者名との入力を受け付ける被寄付者一覧画面を寄付者端末１００に提供する。
【００１９】
寄付支援システム２００は、寄付者端末１００から送信される寄付者名と、送金方法と、各寄付金額と、各寄付金額が寄付される被寄付者名と、合計金額を受信する。そして、寄付処理部２２０は、寄付日と、寄付者端末１００から送信される寄付者名と、寄付金額と、送金方法と、被寄付者名とを対応付けて寄付履歴記憶部２５３に記憶する。
【００２０】
申告書作成処理部２３０は、寄付者端末１００により被寄付者へ寄付された金額を示す寄付金額と、被寄付者が税制上の優遇措置が適用されるのに必要な認定を受けたか否かを示す情報とを含む寄付履歴情報を寄付履歴情報記憶部２５３から取得する。
【００２１】
そして、申告書作成処理部２３０は、認定を受けた被寄付者に寄付された寄付金額に基づき税控除金額を算出し、算出した税控除金額を含む税控除申告書を寄付者端末１００へ提供する。
【００２２】
活動報告作成部２４０は、活動報告作成画面を、被寄付者端末３００に提供する。また、活動報告作成部２４０は、活動報告作成画面を介して入力される活動報告を活動報告記憶部２５４に記憶する。
【００２３】
事業報告書等作成部２６０は、事業報告書等の作成を要求する被寄付者端末３００の被寄付者名をキーに、被寄付者情報記憶部２５１を検索し、対応する被寄付者情報を取得する。また、事業報告書等作成部２６０は、事業報告書等の作成を要求する被寄付者端末３００の被寄付者名をキーに、寄付履歴情報記憶部２５３を検索し、対応する寄付履歴情報を取得する。そして、事業報告書等作成部２６０は、取得した被寄付者情報と寄付履歴情報とに基づき、事業報告書等を作成する。例えば、事業報告書等作成部２６０は、被寄付者情報を構成する[被寄付者名]、[被寄付者形態]、[活動種別]、[住所]、[経常収益合計]、[当期経常増減額]、[当期正味財産増減額]や、寄付履歴情報を構成する[寄付金額]などに基づき、事業報告書等を作成する。
＜被寄付者情報記憶部＞
図２は、本発明の一実施の形態における被寄付者情報記憶部２５１に記憶されている被寄付者情報の構成例の概要を示す図である。図２に示されるように、被寄付者情報は、
【００２４】
[被寄付者名]、[活動報告]、[被寄付者形態]、[所轄庁]、[活動種別]、[説明]、[メールアドレス]、[被寄付者画像]、[住所]、[認定]、[経常収益合計]（不図示）と、[当期経常増減額]（不図示）と、[当期正味財産増減額]（不図示）となどのデータ項目により構成される。なお、被寄付者情報は、上記データ項目に加えて、被寄付者が設立された設立日や、被寄付者がこれまでに活動した回数を示す活動回数や活動の頻度（平均で何日に１回活動しているか）などのデータ項目をさらに含むようにしても良い。
【００２５】
[被寄付者名]は、被寄付者の名称を示す。[活動報告]は、被寄付者により入力された活動の内容（報告書など）を示す。所轄庁は、被寄付者を所轄する所轄庁の所在地を示す。
【００２６】
[活動種別]は、被寄付者の活動の種別を表す。[活動種別]としては、例えば、「保険・医療・福祉」や「社会教育」や「まちづくり」や「観光」や「環境保全」や「災害救援」や「地域安全」や「人権・平和」や「国際協力」や「経済活動の活性化」や「消費者保護」などが該当する。
【００２７】
[説明]は、被寄付者についての説明文などが該当する。[メールアドレス]は被寄付者のメールアドレスを示す。[被寄付者画像]は、被寄付者の活動の内容を表す画像である。[住所]は、被寄付者の所在地を示す。
【００２８】
[認定]は、被寄付者が認定を受けた法人（例えば、寄付金が控除の対象になる認定ＮＰＯ法人）であるか否かを示す。「有」は、被寄付者が認定を受けた法人であることを示し、「無」は、被寄付者が認定を受けていない法人であることを示す。
【００２９】
[経常収益合計]は、被寄付者の１年間の売上の合計額を示す。[当期経常増減額]は、被寄付者の１年間の経常利益を示す。[当期正味財産増減額]は、被寄付者の１年間の純利益を示す。
＜寄付者情報記憶部＞
【００３０】
図３は、本発明の一実施の形態における寄付者情報記憶部２５２に記憶されている寄付者情報の構成例の概要を示す。図３に示されるように、寄付者情報は、[寄付者名]、[担当者名]、[電話番号]、[メールアドレス]、[郵便番号]、[住所]などのデータ項目により構成される。
【００３１】
[寄付者名]は、寄付者の名称を示す。[担当者名]は、寄付の担当者の氏名を示す。[電話番号]は、寄付者の電話番号または担当者の電話番号を示す。[メールアドレス]は、寄付者のメールアドレスまたは担当者のメールアドレスを示す。[住所]は、寄付者の住所を示す。
＜寄付履歴情報記憶部＞
【００３２】
図４は、本発明の一実施の形態における寄付履歴情報記憶部２５３に記憶されている寄付履歴情報の構成例の概要を示す。図４に示されるように、寄付履歴情報は、[寄付日]、[寄付者名]、[寄付金額]、[送金方法]、[被寄付者名]、[認定]、[受領]などのデータ項目により構成される。
【００３３】
[寄付日]は、寄付された日付を示す。[寄付者名]は、寄付者の名称を示す。[寄付金額]は、寄付者により寄付された金額を示す。[送金方法] は、寄付金が送金された方法を示す。 [受領]は、被寄付者によって寄付金の入金（銀行への入金など）が確認されたか否かを示す。「未」は寄付金の入金が確認されていないことを示し、「済」は寄付金の入金が確認されたことを示す。
＜活動報告記憶部＞
【００３４】
図５は、本発明の一実施の形態における活動報告記憶部２５４に記憶されている活動報告の構成例の概要を示す。図５に示されるように、活動報告は、[活動報告日]、[タイトル]、[活動画像]、[活動内容]などのデータ項目により構成される。[活動報告日]は、活動報告が作成された日を示す。[タイトル]は、被寄付者による活動内容のタイトルを示す。[活動画像]は、活動の風景などを撮像した画像を表示するための画像データである。[活動内容]は、被寄付者による活動の内容を示す。
＜一見寄付者情報記憶部＞
【００３５】
図６は、本発明の一実施の形態における一見寄付者情報記憶部２５５に記憶されている一見寄付者情報の構成例の概要を示す。図６に示されるように、一見寄付者情報は、[一見寄付者名]、[電話番号]、[メールアドレス]、[郵便番号]、[住所]などのデータ項目により構成される。
[一見寄付者名]は、少数回（１回〜３０回）だけ寄付する寄付者である一見寄付者の氏名を示す。
＜寄付者ホーム画面＞
図７は、本発明の一実施の形態における寄付者ホーム画面の構成例の概要を示す図である。
【００３６】
図７に示されるように、寄付者ホーム画面は、被寄付者検索ボタン１０１０と、被寄付者一覧ボタン１０２０と、寄付履歴ボタン１０３０と、申告書作成ボタン１２００を含む。
また、寄付者ホーム画面は、システムお知らせ表示領域２０１０と、被寄付者情報更新表示領域２０２０と、お気に入り法人一覧表示領域２０３０とを含む。
被寄付者検索ボタン１０１０が押下されると、寄付者端末１００のディスプレイには、被寄付者を検索するための被寄付者検索画面（後述、図８）が表示される。
被寄付者一覧ボタン１０２０が押下されると、寄付者端末１００のディスプレイには、被寄付者を一覧で表示する被寄付者一覧表示画面（後述、図１０）が表示される。
寄付履歴ボタン１０３０が押下されると、寄付者端末１００のディスプレイには、これまでに寄付した履歴を表示する寄付履歴画面（後述、図１１）が表示される。
申告書作成ボタン１２００は押下されると、寄付者端末１００のディスプレイには、寄付金控除の申告書を作成するための申告書作成画面（後述、図１２）が表示される。
【００３７】
システムお知らせ表示領域２０１０には、特定の条件（例えば、入金がされた）を満たした場合に、満たした条件と対応する情報（例えば、２０１６／●／●付でご入金の確認が取れました）などが表示される。
【００３８】
被寄付者情報更新表示領域２０２０には、被寄付者（ログインしている寄付者端末１００によってお気に入り登録されている被寄付者）の被寄付者情報が更新された場合に、その更新された内容が表示される。
お気に入り法人一覧表示利用域２０３０には、ログインしている寄付者端末１００によってお気に入り登録されている被寄付者が一覧で表示される。
【００３９】
また、お気に入り法人一覧表示領域２０３０には、お気に入り登録されている被寄付者名と、寄付ボタン１０６０と、お気に入り取り消しボタン１０５０とが対応付けて表示される。
寄付ボタン１０６０、押下されると、寄付者端末１００のディスプレイには、被寄付者一覧表示画面（後述、図１０）が表示される。
お気に入り取り消しボタン１０５０が押下されると、お気に入り登録されている被寄付者のお気に入り登録が取り消される。
＜被寄付者検索画面＞
【００４０】
図８は、本発明の一実施の形態における被寄付者検索画面の構成例の概要を示す図である。図８に示されるように、被寄付者検索画面には、寄付者の名称の入力を受け付ける被寄付者名入力欄３０１０と、活動報告の入力を受け付ける活動報告入力欄３０２０と、被寄付者の形態（種別）の入力を受け付ける被寄付者形態入力欄３０３０と、被寄付者の所轄庁の入力を受け付ける所轄庁入力欄３０４０と、被寄付者の活動の種類の入力を受け付ける活動種別入力欄３０５０とが含まれる。なお、活動報告入力欄３０２０と、被寄付者形態入力欄３０３０と、所轄庁入力欄３０４０と、活動種別入力欄３０５０とに入力される情報は、被寄付者を検索するための検索キーとなる。
また、被寄付者検索画面には、検索結果一覧表示領域２０４０と、検索ボタン１０４０とが含まれる。
【００４１】
被寄付者名入力欄３０１０と、活動報告入力欄３０２０と、被寄付者形態入力欄３０３０と、所轄庁入力欄３０４０と、活動種別３０５０との少なくともいずれか一つ以上に入力を受け付けた後に、検索ボタン１０４０が押下されると、被寄付者情報提供部２１０は、検索キー（被寄付者名入力欄３０１０、活動報告入力欄３０２０、被寄付者形態入力欄３０３０、所轄庁入力欄３０４０に入力された情報）と対応する被寄付者画像４０１０と、被寄付者名と、活動報告とを取得する。そして、被寄付者情報提供部２１０は、検索結果一覧表示領域２０４０に、取得した被寄付者画像４０１０と、被寄付者名と、活動報告とを対応付けて表示する。なお、被寄付者情報提供部２１０は、活動報告日が所定期間（例えば、３ヶ月）内の情報（被寄付者画像４０１０と、被寄付者名と、活動報告）のみを取得する。
【００４２】
より詳細には、検索結果一覧表示領域２０４０には、被寄付者の活動の内容を表す被寄付者画像４０１０と、被寄付者の活動の内容についての説明４０２０とが含まれる。また、検索結果一覧表示領域２０４０には、寄付者情報の詳細を表示するための入力を受け付ける詳細表示ボタン４０３０と、寄付一覧追加ボタン４０４０とが含まれる。
被寄付者情報提供部２１０は、詳細表示ボタン４０３０が押下された場合に被寄付者の詳細な情報を含む被寄付者詳細画面（後述、図９）を寄付者端末１００へ提供する。
＜被寄付者詳細画面＞
【００４３】
図９は、本発明の一実施の形態における被寄付者詳細画面の構成例の概要を示す図である。図９に示されるように、被寄付者詳細画面には、被寄付者の活動の内容を表す被寄付者画像４０１０と、被寄付者の被寄付者名と、被寄付者についての説明と、被寄付者の被寄付者形態と、被寄付者の活動の種類と、被寄付者の活動報告の内容とからなる詳細情報が表示される。
【００４４】
なお、上記に加えて、被寄付者詳細画面は、被寄付者の活動の風景の画像と、被寄付者の設立日と、被寄付者の経常収益合計と、当期経常増減額と、当期正味財産増減額との少なくともいずれか一つ以上を含むようにしても良い。
【００４５】
また、被寄付者詳細画面には、お気に入り追加ボタン１０７０と、被寄付者一覧追加ボタン１０８０と、被寄付者一覧ボタン１０２０と、外部ＳＮＳサイト表示ボタン１０９０とが含まれる。
【００４６】
お気に入り追加ボタン１０７０が押下されることで、詳細情報が表示されている被寄付者が、寄付者企業のお気に入りリストに追加される。また、お気に入り追加ボタン１０７０が押下された後に、寄付者端末１００のディスプレイに「お気に入りリストに追加されました。」などのメッセージが表示される。
【００４７】
被寄付者一覧追加ボタン１０８０が押下されることで、詳細情報が表示されている被寄付者が、寄付者企業の寄付一覧リストに追加される。また、被寄付者一覧追加ボタン１０８０が押下された後に、寄付者端末１００のディスプレイに「寄付一覧に追加されました。」などのメッセージが表示される。
被寄付者一覧ボタン１０２０が押下されることで、寄付者端末１００のディスプレイには、被寄付者一覧表示画面（後述、図１０）が表示される。
外部ＳＮＳサイト表示ボタン１０９０が押下されることで、寄付者端末１００のディスプレイには、被寄付者の外部のＳＮＳサイトが表示される。
＜被寄付者一覧表示画面＞
【００４８】
図１０は、本発明の一実施の形態における被寄付者一覧画面の構成例の画面を示す図である。図１０に示されるように、被寄付者一覧画面には、合計金額表示欄２０７０と、送金方法入力欄２０６０とが含まれる。
【００４９】
また、被寄付者一覧表示画面には、被寄付者一覧表示領域２０５０が表示される。被寄付者一覧表示領域２０５０には、被寄付者の活動の内容を表す被寄付者画像４０１０と、被寄付者名および被寄付者の活動の内容についての説明と、寄付金額入力欄３０６０とが対応付けて表示される。
寄付金額入力欄３０６０は、対応する被寄付者への寄付金額の入力を受け付ける。
【００５０】
被寄付者一覧表示領域２０５０に含まれる各寄付金額入力欄３０６０に入力される寄付金額の合計金額は、寄付支援システム２００の寄付処理部２２０により計算される。そして、計算された合計金額が、合計金額表示欄２０７０に入力される。
【００５１】
送金方法入力欄２０６０は、寄付者から被寄付者への寄付金が送金される方法である送金方法の入力を受け付ける。なお、送金方法入力欄２０６０への入力候補としては、「現金手渡し」「預金振込」などがある。
寄付ボタン１０６０が押下されると、寄付金額入力欄３０６０に入力された寄付金額が被寄付者に寄付される。
＜寄付履歴画面＞
【００５２】
図１１は、本発明の一実施の形態における寄付履歴画面の構成例の概要を示す図である。図１１に示されるように、寄付履歴画面には、始期入力欄２１１０と、終期入力欄２１２０と、期間合計金額表示欄２１３０と、寄付日表示欄２１４０と、寄付金額表示欄２１５０と、被寄付者名表示欄２１６０と、検索ボタン１１１０とが含まれる。
【００５３】
始期入力欄２１１０と終期入力欄２１２０とは、寄付履歴を検索するための検索キーである寄付期間の入力を受け付ける。そして、始期入力欄２１１０と終期入力欄２１２０とに日付が入力されることで、寄付支援システム２００は、寄付者端末１００からの寄付期間の入力を受け付ける。
【００５４】
始期入力欄２１１０と終期入力欄２１２０とに日付が入力された状態で検索ボタン１１１０が押下されると、寄付支援システム２００の寄付処理部２１０は、寄付履歴情報記憶部（前述、図３）を検索し、対応する寄付履歴情報をすべて取得する。
【００５５】
そして、寄付処理部２１０は、取得した各寄付履歴情報を構成する寄付日を寄付日表示欄２１４０に表示し、寄付金額を寄付金額表示欄２１５０に表示し、被寄付者名を被寄付者名表示欄２１６０に表示する。
期間合計金額表示欄２１６０には、寄付金額表示欄２１５０に表示されている各金額の合計額が表示される。
＜申告書作成画面＞
【００５６】
図１２は、本発明の一実施の形態における申告書作成画面の構成例の概要を示す図である。図１２に示されるように、申告書作成画面には、認定法人寄付合計金額表示欄４０１０と、税控除金額表示欄４０２０と、作成ボタン４０３０と、寄付情報表示領域４１００とが含まれる。
【００５７】
寄付情報表示領域４１００には、寄付日表示欄４１１０に表示される寄付された日付と、寄付金額表示欄４１２０に表示される寄付金額と、認定法人名表示欄４１３０に表示される認定法人の名称が表示とが対応付けて、一覧で表示される。
認定法人寄付合金額表示欄４０１０には、寄付金額表示欄４１２０に表示される各寄付金額を積算した合計額である認定法人寄付合計金額が表示される。
税控除金額表示欄４０２０には、認定法人寄付合計金額に基づいて算出される税控除金額が表示される。
＜被寄付者ホーム画面＞
図１３は、本発明の一実施の形態における被寄付者ホーム画面の構成例の概要を示す図である。
【００５８】
図１３に示されるように、被寄付者ホーム画面は、活動報告作成ボタン５０１０と、寄付者一覧ボタン５０２０と、一見さん登録ボタン５０３０と、寄付金受領処理ボタン５０４０と、寄付金照会ボタン５０５０とを含む。
また、被寄付者ホーム画面は、システムお知らせ表示領域６０１０と、法令に関するお知らせ表示領域６０２０とを含む。
活動報告作成ボタン５０１０が押下されると、被寄付者端末３００のディスプレイは、寄活動報告を作成するための活動報告作成画面（後述、図１４）を表示する。
寄付者一覧ボタン５０２０が押下されると、被寄付者端末３００のディスプレイは、寄付者を一覧で表示する寄付者一覧表示画面（後述、図１５）を表示する。
【００５９】
一見さん登録ボタン５０３０が押下されると、被寄付者端末３００のディスプレイは、一見さん（１回だけ寄付する寄付者）を登録するための一見さん登録画面（後述、図１６）を表示する。
【００６０】
寄付金受領処理ボタン５０４０が押下されると、被寄付者端末３００のディスプレイは、寄付金の受領（入金）を確認したか否かの入力を受け付ける寄付金受領処理画面（後述、図１７）を表示する。
システムお知らせ表示領域６０１０には、特定の条件（例えば、入金がされた）を満たした場合に、満たした条件と対応する情報が表示される。
法令に関するお知らせ表示領域６０２０には、法令について変更（例えば、法改正された）や新規事項が追加された場合に対応する情報が表示される。
＜活動報告作成画面＞
【００６１】
図１４は、本発明の一実施の形態における活動報告作成画面の構成例の概要を示す図である。図１４に示されるように、活動報告作成画面には、活動開始時期入力欄５１１０と、活動終了時期入力欄５１２０と、検索ボタン５１３０と、活動報告日表示欄５１４０と、タイトル表示欄５１５０と、検索ボタン５１３０と、登録ボタン５１８０とが含まれる。
【００６２】
活動報告日表示欄５１４０は、活動報告日の入力を受け付ける。タイトル表示欄５１５０は、タイトルの入力を受け付ける。活動画像表示欄５１６０は、活動内容を示す画像が表示される。活動内容表示欄５１７０は、活動内容の入力を受け付ける。
【００６３】
活動報告日表示欄５１４０と、タイトル表示欄５１５０と、活動画像表示欄５１６０と、活動内容表示欄５１７０とに対応する情報が入力された状態で登録ボタン５１８０が押下されると、活動報告作成部２４０は、ログインしている被寄付者の被寄付者名と、活動報告日表示欄５１４０に入力された活動報告日と、タイトル表示欄５１５０に入力されたタイトルと、活動画像表示欄５１６０に入力された活動内容を示す画像と、活動内容表示欄５１７０に入力された活動内容とを対応付けて活動報告記憶部（前述、図５）に記憶する。
【００６４】
活動開始時期入力欄５１１０と活動終了時期入力欄５１２０とは、活動報告を検索するための検索キーである活動期間の入力を受け付ける。そして、活動開始時期入力欄５１１０と活動終了時期入力欄５１２０とに日付が入力されることで、被寄付者端末３００は、寄付者端末１００からの活動期間の入力を受け付ける。
【００６５】
活動開始時期入力欄５１１０と活動終了時期入力欄５１２０とに日付が入力された状態で検索ボタン１１１０が押下されると、寄付支援システム２００の活動報告作成部２４０は、活動報告記憶部を検索し、対応する活動報告をすべて取得する。
【００６６】
そして、活動報告作成部２４０は、取得した各活動報告を構成する活動報告日を活動報告日表示欄５１４０に表示し、タイトルをタイトル表示欄５１５０に表示し、活動画像を活動画像表示欄５１６０に表示し、活動内容を活動内容表示欄５１７０する。その後、いずれかの入力欄（活動報告日表示欄５１４０、タイトル表示欄５１５０、活動画像表示欄５１６０、活動内容表示欄５１７０）が選択される入力を受け付けることで、選択された入力欄（活動報告日表示欄５１４０、タイトル表示欄５１５０、活動画像表示欄５１６０、活動内容表示欄５１７０）に表示されている表情を編集する入力を受ける。
＜寄付者一覧表示画面＞
【００６７】
図１５は、本発明の一実施の形態における寄付者一覧表示画面の構成例の概要を示す図である。図１５に示されるように、寄付者一覧表示画面には、寄付者名入力欄５２１０と、検索ボタン５２２０と、寄付者情報表示領域５３００とが含まれる。
【００６８】
寄付者名入力欄５２１０には、検索キーである寄付者名の入力を受け付ける。寄付者名入力欄５２１０に寄付者名が入力された状態で検索ボタン５２２０が押下されると検索結果が寄付者情報表示領域５３００に一覧で表示される。
【００６９】
寄付者情報表示領域５３００には、被寄付者名表示欄５３１０に表示される寄付者名と、郵便番号表示欄５３２０に表示される寄付者の住所を特定するための郵便番号と、住所表示欄５３３０に表示される寄付者の住所と、担当者名表示領域５３４０に表示される担当者の氏名と、メールアドレス表示領域５３５０に表示される担当者または寄付者のメールアドレスと、電話番号表示領域５３６０に表示される担当者または寄付者の電話番号とが対応付けて一覧で表示される。
＜一見さん登録画面＞
【００７０】
図１６は、本発明の一実施の形態における一見さん登録画面の構成例の概要を示す図である。図１６に示されるように、一見さん登録画面には、参照ファイル名表示欄５３１０と、参照ボタン５３２０と、インポートボタン５３３０とが含まれる。
【００７１】
参照ボタン５３２０が押下されると、参照されるファイル名が一覧で表示され、一覧で表示されたファイル名からいずれかのファイル（例えば、ＣＳ１Ｖ（Ｃｏｍｍｍａ−Ｓ１ｅｐａｒａｔｅｄ  ＶａｌｕｅＳ１）ファイル）が選択される。そして、参照されたファイル名が参照ファイル名表示欄５３１０に表示される。ファイルが参照された状態で、インポートボタン５３３０が押下されることで、参照されたファイルを構成する各値が一件寄付者社情報表示領域５４００に入力される。
【００７２】
一見寄付者情報表示領域５４００には、寄付者名表示欄５４１０と、郵便番号表示欄５４２０と、住所表示欄５４３０と、メールアドレス表示欄５４４０と、電話番号表示欄５４５０とが対応付けて一覧で表示される。
＜寄付金受領処理画面＞
【００７３】
図１７は、本発明の一実施の形態における寄付金受領処理画面の構成例の概要を示す図である。図１７に示されるように、寄付金受領処理画面には、寄付始期入力欄５７１０と、寄付終期入力欄５７２０と、検索ボタン５７３０と、更新ボタン５７４０とが含まれる。
【００７４】
寄付始期入力欄５７１０と寄付終期入力欄５７２０とは、寄付履歴情報を検索するための検索キーである寄付期間の入力を受け付ける。そして、寄付始期入力欄５７１０と寄付終期入力欄５７２０とに日付が入力されることで、被寄付者端末３００は、寄付者端末１００からの寄付期間の入力を受け付ける。
【００７５】
寄付始期入力欄５７１０と寄付終期入力欄５７２０とに日付が入力された状態で検索ボタン５７４０が押下されると、寄付支援システム２００の寄付処理部２２０は、寄付履歴情報記憶部２５３を検索し、寄付期間と対応する寄付履歴情報をすべて取得する。なお、寄付処理部２２０は、受領が「未」になっている寄付履歴情報（寄付者により受領が確認されていない寄付履歴）のみを取得する。
【００７６】
そして、寄付処理部２２０は、受領確認チェック欄５７５０と、取得した寄付履歴情報を構成する寄付日５７６０と、寄付者名５７７０と、送金方法５７８０と、寄付金額５７９０と、を対応付けて受領データ表示欄５７００に表示する。
【００７７】
受領確認チェック欄５７５０が押下され、受領確認チェック欄５７５０にチェックがされた状態で更新ボタン５７４０が押下されると、寄付処理部２２０は、対応する寄付履歴情報を構成する受領の値を、「未」から「済」へと更新する。
＜被寄付企業登録処理＞
【００７８】
図１８は、本発明の一実施の形態における被寄付企業登録処理の全体処理の概要を示す図である。被寄付企業登録処理は、例えば、寄付者ホーム画面（前述、図７）にて被寄付者検索ボタン１０１０が押下された場合に開始する。
まず、Ｓ１８０１にて、寄付者端末１００のディスプレイには、被寄付者検索画面（前述、図８）が表示される。
【００７９】
次に、Ｓ１８０２にて、寄付者端末１００は、被寄付者名入力欄３０１０と、活動報告入力欄３０２０と、被寄付者形態入力欄３０３０と、所轄庁入力欄３０４０と、活動種別３０５０との少なくともいずれか一つ以上を検索キーとして入力を受け付ける。
次に、Ｓ１８０３にて、寄付者端末１００は、Ｓ１８０２にて入力を受け付けた検索キーを、寄付支援システム２００へ送信する。
【００８０】
次に、Ｓ１８０４にて、寄付支援システム２００の被寄付企業登録処理部２１０は、Ｓ１８０３にて送信された検索キーを受信する。そして、寄付支援システム２００の被寄付企業登録処理部２１０は、受信した検索キーをキーとして、被寄付者情報記憶部を検索する。そして、寄付支援システム２００は、検索キーと対応する被寄付者情報（前述、図２）をすべて取得する。
【００８１】
次に、Ｓ１８０５にて、寄付支援システム２００の被寄付企業登録処理部２１０は、Ｓ１８０４にて取得した被寄付者情報と、詳細表示ボタン４０３０と、寄付一覧追加ボタン４０４０とを対応付けて、検索結果一覧表示領域２０４０にリスト表示される被寄付者検索画面を、寄付者端末１００に提供する。
【００８２】
次に、Ｓ１８０６にて、寄付者端末１００は、Ｓ１８０５にて提供された検索結果一覧表示領域２０４０に表示されている詳細表示ボタン４０３０と、寄付一覧追加ボタン４０４０とのいずれかのボタンの選択（押下）を受け付ける。
【００８３】
Ｓ１８０６にて、寄付者端末１００が、詳細表示ボタン４０３０が押下する入力を受け付けた場合（Ｓ１８０６−詳細表示ボタン４０３０）、Ｓ１８０９へ進む。一方、Ｓ１８０６にて、寄付者端末１００が、寄付一覧追加ボタン４０４０が押下される入力を受け付けた場合（Ｓ１８０６−寄付一覧追加ボタン）、Ｓ１８０７へ進む。
次に、Ｓ１８０７にて、寄付者端末１００は、自らの寄付者名を寄付支援システム２００へ送信する。
【００８４】
次に、Ｓ１８０８にて、寄付支援システム２００は、Ｓ１８０７にて送信された寄付者名を受信する。寄付支援システム２００の寄付処理部２２０は、Ｓ１８０８にて受信した寄付者名と、被寄付者情報（Ｓ１８０６にて押下された詳細表示ボタン４０３０と対応する被寄付者情報）とを対応付けて保持する。Ｓ１８０８の次は、Ｓ１８０１へ戻る。
【００８５】
Ｓ１８０６にて寄付者端末１００が詳細表示ボタン４０３０を押下する入力を受け付けた場合（Ｓ１８０６−詳細表示ボタン）、Ｓ１８０９にて、寄付者端末１００は、被寄付者詳細画面（前述、図９）を寄付支援システム２００へリクエストする。
次に、Ｓ１８１０にて、寄付支援システム２００の寄付処理部２２０は、被寄付者詳細画面（前述、図９）を寄付者端末１００に提供する。
次に、Ｓ１８１１にて、寄付者端末１００のディスプレイは、被寄付者詳細画面を表示する。
＜寄付処理＞
【００８６】
図１９は、本発明の一実施の形態における寄付処理の全体処理の概要を示す図である。寄付処理は、例えば、寄付者ホーム画面（前述、図７）にて被寄付者一覧ボタン１０２０が押下された場合に開始する。
【００８７】
まず、Ｓ１９０１にて、寄付者端末１００のディスプレイは、被寄付者一覧画面（前述、図１０）が表示する。寄付処理部２２０は、前述したＳ１８０８にて保持している寄付者名と被寄付者情報とを対応付けて一覧で被寄付者一覧画面の被寄付者一覧表示領域２０５０に表示させる。
次に、Ｓ１９０２にて、寄付者端末１００は、ディスプレイに表示されている被寄付者一覧画面を介して、送金方法入力欄２０６０への送金方法の入力を受け付ける。
【００８８】
次に、Ｓ１９０３にて、寄付者端末１００は、ディスプレイに表示されている被寄付者一覧画面を介して、寄付金額入力欄３０６０への寄付金額（いずれかの被寄付者についての寄付金額）の入力を受け付ける。
なお、寄付金額については、被寄付者一覧を構成する被寄付者ごとに入力可能となっている。
次に、Ｓ１９０４にて、寄付者端末１００は、Ｓ１９０３にて入力を受け付けた寄付金額を寄付支援システム２００へ送信する。
【００８９】
次に、Ｓ１９０５にて、寄付支援システム２００の寄付処理部２２０は、Ｓ１９０４にて送信された寄付金額を受信する。そして、寄付支援システム２００の寄付処理部２２０は、これまでに受信した寄付金額を積算することで合計金額を算出する。
次に、Ｓ１９０６にて、寄付支援システム２００の寄付処理部２２０は、Ｓ１９０５にて算出した合計金額を寄付者端末１００へ送信する。
【００９０】
次に、Ｓ１９０７にて、寄付支援システム２００の寄付処理部２２０は、Ｓ１９０６にて送信された合計金額を受信する。そして、そして、寄付者端末１００のディスプレイは、受信した合計金額を被寄付者一覧画面の合計金額表示欄２０７０に表示する。
【００９１】
次に、Ｓ１９０８にて、寄付者端末１００は、被寄付者一覧画面を介して寄付ボタン１０６０が押下されたか否かを判定する。寄付者端末１００が、寄付ボタン１０６０が押下されていないと判定する場合（Ｓ１９０８−Ｎｏ）、Ｓ１９０３へ戻る。一方、寄付者端末１００が、寄付ボタン１０６０が押下されたと判定する場合（Ｓ１９０８−Ｙｅｓ）、Ｓ１９０９へ進む。
【００９２】
次に、Ｓ１９０９にて、寄付者端末１００は、自らの寄付者名と、Ｓ１９０２にて入力を受け付けた送金方法と、Ｓ１９０３にて入力を受け付けた各寄付金額と、各寄付金額が寄付される被寄付者名と、Ｓ１９０７にて受信した合計金額と、被寄付者情報とを寄付支援システム２００の寄付処理部２２０へ送信する。
【００９３】
次に、Ｓ１９１０にて、寄付支援システム２００の寄付処理部２２０は、Ｓ１９０９にて送信された寄付者名と、送金方法と、各寄付金額と、各寄付金額が寄付される被寄付者名と、合計金額と、被寄付者情報を受信する。そして、寄付支援システム２００の寄付処理部２２０は、寄付日と、受信した寄付者名と、寄付金額と、送金方法と、被寄付者名と、被寄付者情報を構成する認定（認定を受けているか否かを示す）とを対応付けて寄付履歴記憶部（前述、図４）に記憶する。
【００９４】
次に、Ｓ１９１１にて、寄付支援システム２００の寄付処理部２２０は、Ｓ１９１０にて受信した被寄付者（被寄付者名）ごとに、少なくとも寄付金額と、お礼のメッセ―ジ（例えば、「寄付頂きありがとうございます」）とを含むメールを生成する。より詳細には、寄付支援システム２００は、被寄付者名をキーに寄付者情報記憶部（前述、図３）２３０を検索し、対応するメールアドレスを取得する。そして、取得したメールアドレス宛へのメールを生成する。
【００９５】
次に、Ｓ１９１２にて、寄付支援システム２００の寄付処理部２２０は、メール（お礼のメール）を、寄付者端末１００（Ｓ１９１１にて取得したメールアドレス）へ送信する。
＜申告書作成処理＞
【００９６】
図２０は、本発明の一実施の形態における申告書作成処理の全体処理の概要を示す図である。申告書作成処理は、例えば、寄付者ホーム画面（前述、図７）にて申告書作成ボタン１２００が押下された場合に開始する。
まず、Ｓ２００１にて、寄付者端末１００は、寄付者名（自らの名称）を寄付支援システム２００へ送信する。
【００９７】
次に、Ｓ２００２にて、寄付支援システム２００は、Ｓ２００１にて送信された寄付者名を受信する。そして、寄付支援システム２００の申告書作成処理部２３０は、受信した寄付者名をキーに、寄付履歴情報記憶部２５３を検索し、対応する寄付履歴情報をすべて取得する。
【００９８】
なお、申告書作成処理部２３０は、認定が「有」である寄付履歴情報のみを取得する。これによって、寄付金が控除の対象となる被寄付者についての寄付履歴情報のみを取得できる。
【００９９】
次に、Ｓ２００３にて、寄付支援システム２００の申告書作成処理部２３０は、Ｓ２００２にて取得した各寄付履歴情報を構成する寄付金額を積算することで認定法人寄付合計金額を算出する。
【０１００】
次に、Ｓ２００４にて、寄付支援システム２００の申告書作成処理部２３０は、Ｓ２００３にて算出した認定法人寄付合計金額に基づき、税控除金額を算出する。例えば、申告書作成処理部２３０は、認定法人寄付合計金額から「２０００」減算した値に、「０．４」を乗算した値を税控除金額として算出する。
【０１０１】
次に、Ｓ２００５にて、寄付支援システム２００の申告書作成処理部２３０は、Ｓ２００２にて受信した各寄付履歴情報と、Ｓ２００３にて算出した認定法人寄付合計金額と、Ｓ２００４にて算出した税控除金額とに基づき、申告書作成画面（前述、図１２）を生成する。
【０１０２】
より詳細には、寄付支援システム２００の申告書作成処理部２３０は、寄付履歴情報に含まれる、寄付日と、寄付金額と、認定法人名とを対応付けて寄付情報表示領域４１００に一覧表示させる。なお、寄付日は寄付日表示欄４１１０に表示され、寄付金額は寄付金額表示欄４１２０に表示され、認定法人名は認定法人名表示欄４１３０に表示される。
【０１０３】
また、申告書作成処理部２３０は、Ｓ２００３にて算出した認定法人寄付合計金額を認定法人寄付合計金額表示欄４１２０に表示させ、Ｓ２００４にて算出した税控除金額を税控除金額表示欄４０２０に表示させる。
次に、Ｓ２００６にて、寄付支援システム２００の申告書作成処理部２３０は、Ｓ２００５にて生成した申告書作成画面を寄付者端末１００に提供する。
次に、Ｓ２００７にて、寄付者端末１００のディスプレイは、申告書作成画面を表示する。そして、寄付者端末１００は、作成ボタン４０３０を押下する入力を受け付ける。
次に、Ｓ２００８にて、寄付者端末１００は、税控除に必要な申告書（以下、税控除申告書と呼ぶ場合がある）の作成のリクエストを寄付支援システム２００に送信する。
【０１０４】
次に、Ｓ２００９にて、寄付支援システム２００は、Ｓ２００８にて送信されたリクエストを受信する。そして、寄付支援システム２００の申告書作成処理部２３０は、税控除申告書を生成する。
次に、Ｓ２０１０にて、寄付支援システム２００の申告書作成処理部２３０は、Ｓ２００９にて生成した税控除申告書を寄付者端末１００に提供する。
次に、Ｓ２０１１にて、寄付者端末１００のディスプレイは、Ｓ２０１０にて提供された税控除申告書を表示する。
＜本実施の形態の効果＞
【０１０５】
以上説明した本実施の形態によれば、被寄付者情報提供部２１０が、所定回数以上および／または所定期間内に活動報告を作成した被寄付者について、検索キーと対応する寄付者情報を取得し、取得した寄付者情報を一覧で示す検索結果一覧を寄付者端末１００へ提供することで、寄付者端末１００が、被寄付者を探す手間を削減できる。また、被寄付者へ活動報告の作成を促すことができる。さらに、被寄付者が、自らの活動の内容を寄付者に知ってもらいやすくなる。また、被寄付者が広報活動をする手間を削減できる。
【０１０６】
また、申告書作成処理部２３０が、認定を受けた被寄付者に寄付された寄付金額に基づき税控除金額を算出し、算出した税控除金額を含む税控除申告書を寄付者端末１００へ提供することで、寄付者が税控除申告書を作成する手間を削減できる。
【０１０７】
また、被寄付者詳細画面が、被寄付者の活動の風景の画像と、被寄付者の設立日と、被寄付者の経常収益合計と、当期経常増減額と、当期正味財産増減額との少なくともいずれか一つ以上を含むことで、寄付をするか否かを判断する材料を寄付者に提供できる。
【０１０８】
また、寄付処理部２２０が、寄付者検索画面を介して入力を受け付けた検索キーと対応する寄付者情報を取得し、取得した寄付者情報を一覧で前記寄付者一覧画面に表示させ、寄付者情報が、寄付者の前記寄付者名と、郵便番号と、住所と、担当者名と、メールアドレスと、電話番号との少なくともいずれか一つ以上を含むことで、被寄付者が寄付者の名簿や、寄付された金額を管理する手間を削減できる。
【０１０９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１１０】
例えば、寄付者端末・被寄付者端末がスマートフォンやタブレット端末である実施形態もある。また、寄付者端末・被寄付者端末は、デスクトップ型のＰＣ（Ｐｅｒｓｏｎａｌ  Ｃｏｍｐｕｔｅｒ）や、ノート型ＰＵや、スマートフォンや、タブレット端末にも、様々な形態の端末を全て含むものである。
【０１１１】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１１２】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【０１１３】
１０…寄付システム、
１００…寄付者端末、
２００…寄付支援システム、２１０…被寄付者情報提供部、２２０…寄付処理部、２３０…申告書作成処理部、２４０…活動報告作成部、２５１…被寄付者情報記憶部、２５２…寄付者情報記憶部、２５３…寄付履歴情報記憶部、２５４…活動報告記憶部、２５５…一見寄付者情報記憶部、
３００…被寄付者端末。
【図１】
2018032124.tif 000003
【図２】
2018032124.tif 000004
【図３】
2018032124.tif 000005
【図４】
2018032124.tif 000006
【図５】
2018032124.tif 000007
【図６】
2018032124.tif 000008
【図７】
2018032124.tif 000009
【図８】
2018032124.tif 000010
【図９】
2018032124.tif 000011
【図１０】
2018032124.tif 000012
【図１１】
2018032124.tif 000013
【図１２】
2018032124.tif 000014
【図１３】
2018032124.tif 000015
【図１４】
2018032124.tif 000016
【図１５】
2018032124.tif 000017
【図１６】
2018032124.tif 000018
【図１７】
2018032124.tif 000019
【図１８】
2018032124.tif 000020
【図１９】
2018032124.tif 000021
【図２０】
2018032124.tif 000022
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
寄付者端末により被寄付者へ寄付された金額を示す寄付金額と、前記被寄付者が税制上の優遇措置が適用されるのに必要な認定を受けたか否かを示す情報とを含む寄付履歴情報を取得する申告書作成処理部を有し、
前記申告書作成処理部は、前記認定を受けた前記被寄付者に寄付された前記寄付金額に基づき税控除金額を算出し、算出した前記税控除金額を含む税控除申告書を前記寄付者端末へ提供する、
寄付支援システム。
【請求項２】
請求項１に記載の寄付支援システムにおいて、
検索キーとして、被寄付者の名称と、被寄付者の活動の内容と、被寄付者の形態と、被寄付者の所轄庁と、被寄付者の活動の種類との少なくともいずれか一つ以上の入力を受け付ける被寄付者検索画面を寄付者端末へ提供する被寄付者情報提供部をさらに有し、
前記被寄付者情報提供部は、所定回数以上および／または所定期間内に活動報告を作成した前記被寄付者について、前記検索キーと対応する被寄付者情報を取得し、取得した前記被寄付者情報を一覧で示す検索結果一覧を前記寄付者端末へ提供し、
前記被寄付者情報は、前記被寄付者の名称と、前記被寄付者の活動の風景の画像と、前記被寄付者の活動の内容との少なくともいずれか一つ以上を含む、
寄付支援システム。
【請求項３】
請求項２に記載の寄付支援システムにおいて、
前記被寄付者検索画面は、前記被寄付者情報の詳細を表示するための入力を受け付ける詳細表示ボタンを含み、
前記被寄付者情報提供部は、前記詳細表示ボタンが押下された場合に前記被寄付者の詳細な情報を含む被寄付者詳細画面を前記寄付者端末へ提供し、
前記被寄付者詳細画面は、前記被寄付者の活動の風景の画像と、前記被寄付者の設立日と、前記被寄付者の経常収益合計と、当期経常増減額と、当期正味財産増減額との少なくともいずれか一つ以上を含む、
寄付支援システム。
【請求項４】
請求項２に記載の寄付支援システムにおいて、
検索キーとして、寄付者名の入力を受け付ける寄付者一覧画面を前記寄付者端末へ提供する寄付処理部をさらに有し、
前記寄付処理部は、寄付者検索画面を介して入力を受け付けた前記検索キーと対応する寄付者情報を取得し、取得した前記寄付者情報を一覧で前記寄付者一覧画面に表示させ、
前記寄付者情報は、前記寄付者の前記寄付者名と、郵便番号と、住所と、担当者名と、メールアドレスと、電話番号との少なくともいずれか一つ以上を含む、
寄付支援システム。
【請求項５】
請求項１に記載の寄付支援システムにおいて、
前記被寄付者情報と、前記寄付履歴情報とに基づき、事業報告書等を作成する事業報告書等作成部をさらに有する、寄付支援システム。
【請求項６】
申告書作成処理部が、寄付者端末により被寄付者へ寄付された金額を示す寄付金額と、前記被寄付者が税制上の優遇措置が適用されるのに必要な認定を受けたか否かを示す情報とを含む寄付履歴情報を取得する寄付履歴情報取得ステップと、
申告書作成処理部が、前記認定を受けた前記被寄付者に寄付された前記寄付金額に基づき税控除金額を算出し、算出した前記税控除金額を含む税控除申告書を前記寄付者端末へ提供する、税控除申請書提供ステップと、
を、有する、寄付支援方法。
【請求項７】
申告書作成処理部を有する寄付支援システムのコンピュータに実行させる寄付支援プログラムであって、
申告書作成処理部が、寄付者端末により被寄付者へ寄付された金額を示す寄付金額と、前記被寄付者が税制上の優遇措置が適用されるのに必要な認定を受けたか否かを示す情報とを含む寄付履歴情報を取得する寄付履歴情報取得ステップと、
申告書作成処理部が、前記認定を受けた前記被寄付者に寄付された前記寄付金額に基づき税控除金額を算出し、算出した前記税控除金額を含む税控除申告書を前記寄付者端末へ提供する、税控除申請書提供ステップと、
を前記コンピュータに実行させる、寄付支援プログラム。
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
寄付者端末により被寄付者へ寄付された金額を示す寄付金額と、前記被寄付者が税制上の優遇措置が適用されるのに必要な認定を受けた認定ＮＰＯ法人であるか否かを示す情報とを含む寄付履歴情報が記憶されている寄付履歴情報記憶部と、
前記寄付履歴情報記憶部から前記寄付履歴情報を取得する申告書作成処理部と、
を有し、
前記申告書作成処理部は、
前記認定を受けたこと示す情報を含む前記寄付履歴情報のみを前記寄付履歴情報記憶部から取得し、取得した前記寄付履歴情報を構成する前記寄付金額を積算することで認定法人寄付合計金額を算出し、算出した前記認定法人寄付合計金額に基づき税控除金額を算出し、
前記認定法人寄付合計金額と、前記税控除金額とが表示される申告書作成画面を前記寄付者端末のディスプレイに表示させ、
算出した前記税控除金額を含む税控除申告書を前記寄付者端末へ提供する、
寄付支援システム。
【請求項２】
請求項１に記載の寄付支援システムにおいて、
検索キーとして、被寄付者の名称と、被寄付者の活動の内容と、被寄付者の形態と、被寄付者の所轄庁と、被寄付者の活動の種類との少なくともいずれか一つ以上の入力を受け付ける被寄付者検索画面を寄付者端末へ提供する被寄付者情報提供部をさらに有し、
前記被寄付者情報提供部は、所定回数以上および／または所定期間内に活動報告を作成した前記被寄付者について、前記検索キーと対応する被寄付者情報を取得し、取得した前記被寄付者情報を一覧で示す検索結果一覧を前記寄付者端末へ提供し、
前記被寄付者情報は、前記被寄付者の名称と、前記被寄付者の活動の風景の画像と、前記被寄付者の活動の内容との少なくともいずれか一つ以上を含む、
寄付支援システム。
【請求項３】
請求項２に記載の寄付支援システムにおいて、
前記被寄付者検索画面は、前記被寄付者情報の詳細を表示するための入力を受け付ける詳細表示ボタンを含み、
前記被寄付者情報提供部は、前記詳細表示ボタンが押下された場合に前記被寄付者の詳細な情報を含む被寄付者詳細画面を前記寄付者端末へ提供し、
前記被寄付者詳細画面は、前記被寄付者の活動の風景の画像と、前記被寄付者の設立日と、前記被寄付者の経常収益合計と、当期経常増減額と、当期正味財産増減額との少なくともいずれか一つ以上を含む、
寄付支援システム。
【請求項４】
請求項２に記載の寄付支援システムにおいて、
検索キーとして、寄付者名の入力を受け付ける寄付者一覧画面を前記寄付者端末へ提供する寄付処理部をさらに有し、
前記寄付処理部は、寄付者検索画面を介して入力を受け付けた前記検索キーと対応する寄付者情報を取得し、取得した前記寄付者情報を一覧で前記寄付者一覧画面に表示させ、
前記寄付者情報は、前記寄付者の前記寄付者名と、郵便番号と、住所と、担当者名と、メールアドレスと、電話番号との少なくともいずれか一つ以上を含む、
寄付支援システム。
【請求項５】
請求項２に記載の寄付支援システムにおいて、
前記被寄付者情報と、前記寄付履歴情報とに基づき、事業報告書等を作成する事業報告書等作成部をさらに有する、寄付支援システム。
【請求項６】
申告書作成処理部が、寄付者端末により被寄付者へ寄付された金額を示す寄付金額と、前記被寄付者が税制上の優遇措置が適用されるのに必要な認定を受けた認定ＮＰＯ法人であるか否かを示す情報とを含む寄付履歴情報が記憶されている寄付履歴情報記憶部から前記寄付履歴情報を取得する寄付履歴情報取得ステップと、
申告書作成処理部が、
前記認定を受けたこと示す情報を含む前記寄付履歴情報のみを前記寄付履歴情報記憶部から取得し、取得した前記寄付履歴情報を構成する前記寄付金額を積算することで認定法人寄付合計金額を算出し、算出した前記認定法人寄付合計金額に基づき税控除金額を算出し、
前記認定法人寄付合計金額と、前記税控除金額とが表示される申告書作成画面を前記寄付者端末のディスプレイに表示させ、
算出した前記税控除金額を含む税控除申告書を前記寄付者端末へ提供する、税控除申請書提供ステップと、
を、有する、寄付支援方法。
【請求項７】
申告書作成処理部を有する寄付支援システムのコンピュータに実行させる寄付支援プログラムであって、
申告書作成処理部が、寄付者端末により被寄付者へ寄付された金額を示す寄付金額と、前記被寄付者が税制上の優遇措置が適用されるのに必要な認定を受けた認定ＮＰＯ法人であるか否かを示す情報とを含む寄付履歴情報が記憶されている寄付履歴情報記憶部から前記寄付履歴情報を取得する寄付履歴情報取得ステップと、
申告書作成処理部が、
前記認定を受けたこと示す情報を含む前記寄付履歴情報のみを前記寄付履歴情報記憶部から取得し、取得した前記寄付履歴情報を構成する前記寄付金額を積算することで認定法人寄付合計金額を算出し、算出した前記認定法人寄付合計金額に基づき税控除金額を算出し、
前記認定法人寄付合計金額と、前記税控除金額とが表示される申告書作成画面を前記寄付者端末のディスプレイに表示させ、
算出した前記税控除金額を含む税控除申告書を前記寄付者端末へ提供する、税控除申請書提供ステップと、
を前記コンピュータに実行させる、寄付支援プログラム。